(57)【特許請求の範囲】
【請求項１】
前身頃及び後身頃に左右一対の袖部分が縫製された上衣であって、
前記袖部分が、袖上線を含む上袖部と、袖下線を含む下袖部と、前記上袖部と前記下袖部との間に位置する前袖部及び後袖部を備え、
前記上袖部は、左右一方の袖口から襟ぐりを通り他方の袖口まで伸びる生地で構成され、
前記下袖部は、前記左右の袖部分の前記袖口から脇下を通り、前記前身頃と後身頃に縫製され裾まで伸び、
前記前袖部は着用者の体幹部分に配置されることがないように脇部から肩関節に向けて設けられる前記前身頃の袖ぐりに縫製され、前記後袖部は前記後身頃との縫製部分がラグラン袖となるように縫製されていることを特徴とする、上衣。
【請求項２】
前記上袖部を構成する生地は、長手方向に伸縮性を有するストレッチ織物片から構成されていることを特徴とする、請求項１に記載の上衣。
【請求項３】
前記下袖部は、その下袖線部が脇線の延長線よりも前記前身頃側に屈曲するよう裁断されていることを特徴とする、請求項１又は２に記載の上衣。
【請求項４】
前記下袖部と前記前身頃の縫製線は、その一部が前記前身頃に設けられるポケットの開口部として構成されることを特徴とする、請求項１から３のいずれか１つに記載の上衣。
【発明の詳細な説明】
【技術分野】
【０００１】
本発明は、作業時における身体動作の自由度を高める上衣に関する。特に、肘および肩の関節を動かすときに、腕、肩、背中、胸、体側部分周辺を覆う生地の引きつりを緩和することで、着用者にとって運動性に優れた上衣に関する。
【背景技術】
【０００２】
従来、作業服は各種作業において広く用いられている。図５は一般的な作業服上衣の袖および前後の身頃の片側（左半身）展開図である。袖部分１４は、通常その中心線１４ａに沿って２つ折りして筒状となし、縫製部分１４ｂ，１４ｃがそれぞれ前身頃１２及び後身頃１３の袖ぐり１５、１６に縫製される。このとき、袖の中心線１４ａは前身頃１２及び後身頃１３の肩の縫製線の延長線１２ａ上にくるように縫製されている。
【０００３】
このような構成により縫製された作業服上衣は、作業時の関節の動きに対していわゆる「ツッパリ感」を着用者に与える。すなわち、着用者は腕を上げたり前に伸ばしたり、腕を屈伸したりする時に、肩や脇、胸、体側の周辺、あるいは肘の裏側ないし外側に作業服の引きつりによるツッパリ感を覚える。
【０００４】
この生地の引きつりの問題を防止するために、特許文献１（特開平６−８１２０２号公報）では、袖の長手方向に伸縮を有する生地を用いて前ヨークと後ヨークと袖とを一体化した作業服が記載されている。この作業服は、左右の袖口の間を袖の長手方向に伸縮を有する１つの生地で構成することにより、左右一方の袖口から他方の袖口まで、ストレッチ性を有する距離が長くなることでストレッチ効果が高められ、人体の肩と腕の動きをスムーズにすることができる。
【先行技術文献】
【特許文献】
【０００５】
【特許文献１】特開平６−８１２０２号公報
【発明の概要】
【発明が解決しようとする課題】
【０００６】
特許文献１に記載された作業服は、ストレッチ性の生地をその伸縮方向に長く採ることによって、作業服全体のストレッチ性を向上させるものであるため、肘の屈伸や腕を前後に移動させる肩関節の動きに対しては、生地が伸びることでスムーズな動きを実現することができる。一方、腕の上げ下ろしについては、生地の伸縮の方向に一致しないため、ツッパリ感を解消することが困難であった。
【０００７】
また、生地自体の伸縮を利用してツッパリ感を解消するため、肘を曲げたときに袖口が肘方向に引っ張られて、カフスの部分が肘に向かって捲れ上がるという問題もあった。
【０００８】
さらに、作業服は、耐久性を考えてストレッチ性の素材や編物を使用しない場合も多く、素材として綿織物、綿とポリエステルの混紡織物、ポリエステル織物等の非伸縮性の素材を用いた場合には、ツッパリ感の解消が困難であった。
【０００９】
したがって、本発明が解決しようとする技術的課題は、人体の動き、特に肩と腕の全方向に対する動きに対して、よりスムーズにフィットすることができる上衣を提供することである。
【課題を解決するための手段】
【００１０】
本発明は、上記技術的課題を解決するために、以下の構成の上衣を提供する。
【００１１】
本発明の第１態様によれば、前身頃及び後身頃に左右一対の袖部分が縫製された上衣であって、
前記袖部分が、袖上線を含む上袖部と、袖下線を含む下袖部と、前記上袖部と前記下袖部との間に位置する前袖部及び後袖部を備え、
前記上袖部は、左右一方の袖口から襟ぐりを通り他方の袖口まで伸びる生地で構成され、
前記下袖部は、前記左右の袖部分の前記袖口から脇下を通り、前記前身頃と後身頃に縫製され裾まで伸び、
前記前袖部は着用者の体幹部分に配置されることがないように脇部から肩関節に向けて設けられる前記前身頃の袖ぐりに縫製され、前記後袖部は前記後身頃との縫製部分がラグラン袖となるように縫製されていることを特徴とする、上衣を提供する。
【００１３】
本発明の第２態様によれば、前記上袖部を構成する生地は、長手方向に伸縮性を有するストレッチ織物片から構成されていることを特徴とする、第１態様の上衣を提供する。
【００１４】
本発明の第３態様によれば、前記下袖部は、その下袖線部が脇線の延長線よりも前記前身頃側に屈曲するように裁断されていることを特徴とする、第１又は第２態様のいずれか１つの上衣を提供する。
【００１５】
本発明の第４態様によれば、前記下袖部と前記前身頃の縫製線は、その一部が前記前身頃に設けられるポケットの開口部として構成されることを特徴とする、第１から第３態様のいずれか１つの上衣を提供する。
【発明の効果】
【００１７】
本発明によれば、上袖部が袖上線を含み、かつ上袖部を構成する生地が左右で連続して設けられているため、腕の前後方向の動きに対してツッパリ感なくスムーズな動作が可能となる一方、下袖部は、胴体を構成する身頃の側方から脇線にわたって伸びるように構成されていることから、腕を上げる動作に対して生地のツッパリ感がない。したがって、前後上下の腕の動きに対してスムーズな動作が可能となる。このため、ストレッチ性に乏しい素材でも、腕をスムーズに動作させることができ、たとえば、作業服などに好適に用いることができる。
【図面の簡単な説明】
【００１８】
【図１】本発明の実施形態にかかる作業服の正面図である。
【図２】図１の作業服の背面図である。
【図３】図１の作業服の正面側左半身の展開図である。
【図４】図１の作業服の背面側左半身の展開図である。
【図５】従来の作業服の袖及び身頃の片側展開図である。
【発明を実施するための形態】
【００１９】
以下、本発明の上衣の実施形態に係る作業服について、図面を参照しながら説明する。
【００２０】
図１は、本発明の実施形態にかかる作業服の例を示す図である。図２は、図１の作業服の背面図である。図３は、図１の作業服の正面側左半身の展開図である。図４は、図１の作業服の背面側左半身の展開図である。本実施形態にかかる作業服１は、図１及び図２に示すように、前身頃２と後身頃３に袖部分４が縫製された作業服上衣である。
【００２１】
前身頃２は、前身頃下部２１と前ヨーク２２とで構成され、両生地が上下に連結する。前身頃下部２１は、ウエストラインＷＬ及びバストラインＢＬを含み、脇上部分で水平方向に前ヨーク２２と縫製される。また、左右のそれぞれの前身頃２の開き部分裏面には見返し２７が設けられ、ファスナー５によって前開きできるようになっている。前身頃２には、左右胸部に胸ポケット２３が設けられる。
【００２２】
後身頃３は、裾の部分から首後部分までの背面に相当する。後身頃３の上端部分には、後述するように、上袖部４１が設けられ、後身頃３には襟ぐり７３は設けられない。
【００２３】
身頃の裾には裾絞り生地６が設けられる。裾絞り生地６は、中央側生地６１と伸縮ゴム編み地６２とを備える。
【００２４】
また、身頃の前ヨーク２２及び上袖部４１の襟開口には、襟生地７が設けられる。襟生地７は、中央側生地７１と伸縮ゴム編み地７２を備える。
【００２５】
袖部分４は、上袖部４１、下袖部４２、前袖部４３、後袖部４４、カフス４５の５つの生地で構成される。
【００２６】
上袖部４１はネックポイントから肩峰点を通り袖口まで伸びる袖上線４ａを含み、袖の上側部分を構成する。上袖部４１は左右一方の袖口から襟ぐり７３を通って、他方の袖口まで直線的に伸びるように構成される。本実施形態では、上袖部４１は左右の２枚の生地を体の中心線上の縫製線４６で縫製して構成する。また、上袖部は１枚の生地で構成してもよい。襟ぐり７３には、上記の通り襟生地７が縫製される。
【００２７】
上袖部４１は長手方向に向かってストレッチ性を有する生地を用いてもよい。この場合、上袖部４１は左右一方の袖口から他方の袖口まで、長手方向に対して全長にストレッチ性を有することで、従来の作業着よりもストレッチ性を有する距離が長くなりストレッチ効果が高められる。長手方向に対して全長にストレッチ性を有することで、従来の作業着よりもストレッチ性を有する範囲が広くなりストレッチ効果が高められる。
【００２８】
下袖部４２は袖下線４ｂを含み、袖の下側部分を構成する。下袖部４２は左右の袖口から脇下部分を通り、前身頃２及び後身頃３に縫製され身頃の脇線３ａに沿って裾まで伸び、身頃の側方部分を構成する。この構成により、脇部３２は、下袖部４２と一体的に構成され、腕を上げたときに体側から腕先に向けて直線的に伸び、当該脇部３２近傍が引きつることがない。このため、腕を上げても袖が身頃側に引っ張られることもなく、腕の上げ下ろしの動作がスムーズである。
【００２９】
下袖部４２と前身頃２の前身頃下部２１との縫製線２５のうち、ウエストラインＷＬ近傍の一部分は、前身頃下部２１の内側に設けられるポケット地２４と縫製される。これにより、当該前身頃下部２１に設けられる当該縫製線２５の部分が、ポケットの開口部分として使用されることとなり、ポケットの開口が目立たず、すっきりとしたデザインとすることができる。
【００３０】
下袖部４２は、その袖下線４ｂが脇部３２の部分において、身頃の脇線３ａの延長線１２ａよりも前身頃側に向けて屈曲するように型取りされている。この裁断は、肩関節を前方ないし内側へ曲げようとすると、関節の伸張側（裏側ないし外側）に当たる個所で生地が引きつるのを緩和することができる。
【００３１】
また、下袖部４２は、身頃に縫製される胴体部分に対し、脇部３２から先端側に位置する袖構成部分に向かうに連れて細くなるように構成される。
【００３２】
前袖部４３は、上袖部４１と下袖部４２との間で袖部分の前方を構成し、前身頃２の袖ぐり２６に縫製される。前身頃２の袖ぐり２６は、脇部３２から肩関節近傍に向けて設けられており、前袖部４３が着用者の体幹部分に配置されないようになっている。
【００３３】
後袖部４４は、上袖部４１と下袖部４２との間で袖部分の後方を構成し、後身頃３の袖ぐり３１に縫製される。後身頃３の袖ぐり３１は、脇部３２から襟ぐり７３に向けて直線的に伸びる、いわゆるラグラン袖の形状に構成される。これにより、後袖部４４が肩甲骨周りに配置され、肩の周りがゆったりすることで、ツッパリ感なく肩関節の動作を行うことができる。
【００３４】
以上説明したように、本実施形態の作業服によれば、上袖が袖上線を含み袖の前方及び後方まで伸び、かつ上袖部を構成する生地が左右で連続して設けられているため、腕の前後方向の動きに対してツッパリ感なくスムーズな動作が可能となる。また、下袖が胴体を構成する身頃の側方から脇線にわたって伸びることから、腕を上げる動作に対して生地のツッパリ感がない。したがって、前後上下の腕の動きに対してスムーズな動作が可能となる。
【００３５】
また、一般的に、作業服として広く用いられている綿、綿とポリエステルの混紡、ポリエステルなどの織物素材は、ストレッチ性に乏しく、このようなストレッチ性を有しない素材を使用した作業服上衣に好適に使用することができる。なお、作業服においてはいわゆる「つなぎ」の作業着が使用されることも多いが、本発明の上衣には、上衣部分があるつなぎ作業服も含まれることは言うまでもない。
【００３６】
なお、本発明は上記実施形態に限定されるものではなく、その他種々の態様で実施可能である。例えば、本実施形態では、上衣の例として作業服上衣としているが、スポーツウェアやシャツなどの他、前身頃にファスナーがないポロシャツなどの上衣にも広く適用可能である。
【００３７】
また、たとえば、下袖部４２の身頃に縫製される胴体部分は、本実施形態では、身頃の裾まで伸びているが、必ずしもこの構成に限定されず、袖から脇部３２を通って、身頃の胴体側部に相当するように構成されていればよい。
【符号の説明】
【００３８】
１  作業服
２  前身頃
３  後身頃
３ａ  脇線
４  袖部分
４ａ  袖上線
４ｂ  袖下線
５  ファスナー
６  裾絞り生地
７  襟生地
２１  前身頃下部
２２  前ヨーク
２３  胸ポケット
２４  ポケット地
２５  下袖部と前身頃下部との縫製線
２６  前身頃袖ぐり
２７  見返し
３１  後身頃袖ぐり
３２  脇部
４１  上袖部
４２  下袖部
４３  前袖部
４４  後袖部
４５  カフス
４６  縫製線
６１，７１  中央側生地
６２，７２  伸縮ゴム編み地
７３  襟ぐり
ＢＬ  バストライン
ＷＬ  ウエストライン
【図１】
0006750803.tif 000002
【図２】
0006750803.tif 000003
【図３】
0006750803.tif 000004
【図４】
0006750803.tif 000005
【図５】
0006750803.tif 000006